【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
設定装置であって、
近接無線通信によりデータ出力装置と接続し通信するための通信手段と、
前記通信手段を介した前記データ出力装置との接続の状態を検知する検知手段とを有し、
前記通信手段を介して前記データ出力装置との第１の接続が確立されたことが前記検知手段により検知された場合、前記通信手段は、前記データ出力装置に関する情報を前記データ出力装置から受信し、
前記設定装置は、前記データ出力装置に関する情報の受信後、前記データ出力装置に関する情報に基づいて、前記データ出力装置によって行われるデータ出力処理についての設定の入力をユーザから受け付ける入力手段をさらに有し、
前記入力手段により前記設定の入力が受け付けられた後であり、かつ前記検知手段により前記第１の接続の切断が検知された後に、前記通信手段を介して前記データ出力装置との第２の接続が確立されたことが前記検知手段により検知された場合、前記通信手段は前記入力手段により入力を受け付けた前記設定を前記データ出力装置へ送信することを特徴とする設定装置。
【請求項２】
前記設定を前記データ出力装置へ送信した後に、前記通信手段が前記データ出力装置からエラー情報を受信した場合、前記受信したエラー情報を表示するように表示手段を制御する表示制御手段をさらに有し、
前記エラー情報は、前記データ出力装置におけるデータ出力処理のエラーを示すことを特徴とする請求項１に記載の設定装置。
【請求項３】
前記エラー情報は、エラーが発生した前記データ出力処理の再開又は終了に関する情報を含み、
前記エラー情報が受信された後であり、かつ前記検知手段により前記第２の接続の切断が検知された後に、前記入力手段は前記エラー情報に基づいて、前記データ出力処理の再開又は終了の設定の入力をユーザから受け付け、
前記データ出力処理の再開又は終了の設定の入力が前記入力手段で受け付けられた後に、前記通信手段を介して前記データ出力装置との第３の接続が確立されたことが前記検知手段により検知された場合、前記通信手段は前記データ出力処理の再開又は終了の設定を前記データ出力装置へ送信することを特徴とする請求項２に記載の設定装置。
【請求項４】
指示手段をさらに有し、
前記指示手段による指示がある場合には、前記通信手段を介して前記データ出力装置との第１の接続が確立されたことが前記検知手段により検知された場合に、前記入力手段は前記設定の入力を受け付けることなく、前記通信手段は予め定められたデータ出力処理についての設定を前記データ出力装置へ送信することを特徴とする請求項１乃至３のいずれか１項に記載の設定装置。
【請求項５】
前記データ出力装置はプリンタであり、前記データ出力はプリントであり、
前記データ出力についての設定は、前記プリントに用いる用紙サイズを特定する情報を含むことを特徴とする請求項１乃至４のいずれか１項に記載の設定装置。
【請求項６】
前記データ出力装置はプリンタであり、前記データ出力処理はプリントであり、
前記データ出力処理についての設定は、前記プリントするデータを特定する情報を含むことを特徴とする請求項１乃至５のいずれか１項に記載の設定装置。
【請求項７】
前記データ出力装置はプリンタであり、前記データ出力処理はプリントであり、
前記エラー情報は前記データ出力装置が前記プリントに用いる用紙またはインクの不足を示す情報であることを特徴とする請求項２又は３に記載の設定装置。
【請求項８】
データ出力装置であって、
近接無線通信により設定装置と通信するための通信手段と、
前記通信手段を介して接続された設定装置から送信されたデータ出力処理についての設定に基づいてデータ出力処理を行うデータ出力処理手段と、
前記通信手段を介した前記設定装置との接続の状態を検知する検知手段とを有し、
前記通信手段を介して前記設定装置との第１の接続が確立されたことが前記検知手段により検知された場合、前記通信手段は、前記データ出力装置に関する情報を前記設定装置へ送信し、
前記通信手段が前記データ出力装置に関する情報を前記設定装置へ送信した後であり、かつ前記検知手段により前記第１の接続の切断が検知された後に、前記通信手段を介して前記設定装置との第２の接続が確立されたことが前記検知手段により検知された場合、前記通信手段は前記設定装置から前記データ出力処理についての設定を受信することを特徴とするデータ出力装置。
【請求項９】
前記設定装置から受信した前記設定に基づく前記データ出力においてエラーが発生した場合に、当該エラーの発生を報知する報知手段を更に有し、
前記報知の後に、前記通信手段を介して前記設定装置との第３の接続が確立されたことが前記検知手段により検知された場合、前記通信手段は前記エラーの内容を示すエラー情報を前記設定装置へ送信することを特徴とする請求項８に記載のデータ出力装置。
【請求項１０】
前記データ出力装置はプリンタであり、前記データ出力処理はプリントであり、
前記データ出力についての設定は、前記プリントにいる用紙サイズを特定する情報を含むことを特徴とする請求項８又は９に記載のデータ出力装置。
【請求項１１】
前記データ出力装置はプリンタであり、前記データ出力処理はプリントであり、
前記データ出力についての設定は、前記プリントするデータを特定する情報を含むことを特徴とする請求項８乃至１０のいずれか１項に記載のデータ出力装置。
【請求項１２】
前記データ出力装置はプリンタであり、前記データ出力処理はプリントであり、
前記エラー情報は前記データ出力装置が前記プリントに用いる用紙のまたはインクの不足を示す情報であることを特徴とする請求項９に記載のデータ出力装置。
【請求項１３】
設定装置であって、
近接無線通信によりデータ処理装置と接続し通信するための通信手段と、
前記通信手段を介した前記データ処理装置との接続の状態を検知する検知手段とを有し、
前記通信手段を介して前記データ処理装置と第１の接続を確立したことが前記検知手段により検知された場合、前記通信手段は、前記データ処理装置に関する情報を前記データ処理装置から受信し、
前記設定装置は、前記検知手段により前記第１の接続の切断が検知された場合、前記データ処理装置に関する情報に基づいて、前記データ処理装置によって行われるデータ処理についての設定を入力するための設定画面を表示するよう表示手段を制御する表示制御手段をさらに有し、
前記設定画面を介して前記データ処理についての設定が入力された後に、前記通信手段を介して前記データ処理装置と第２の接続が確立されたことが前記検知手段により検知された場合、前記通信手段は前記設定を前記データ出力装置へ送信することを特徴とする設定装置。
【請求項１４】
前記データ処理装置に関する情報を前記データ処理装置から受信した後であり、かつ前記第１の接続の切断が前記検知手段により検知されていない場合、前記表示制御手段は、前記設定画面を表示しないように前記表示手段を制御することを特徴とする請求項１３に記載の設定装置。
【請求項１５】
前記データ処理装置に関する情報を前記データ処理装置から受信した後であり、かつ前記第１の接続の切断が前記検知手段により検知されていない場合、前記表示制御手段は、前記第１の接続を切断するよう促す画面を表示するように前記表示手段を制御することを特徴とする請求項１４に記載の設定装置。
【請求項１６】
前記表示手段が前記第１の接続を切断するよう促す画面を表示している際に前記第１の接続の切断が前記検知手段により検知された場合、前記表示制御手段は前記第１の接続を切断するよう促す画面に代えて前記設定画面を表示するよう前記表示手段を制御することを特徴とする請求項１５に記載の設定装置。
【請求項１７】
前記データ処理装置はプリンタであり、前記データ処理はプリントであり、前記データ処理についての設定は前記プリントに用いる用紙サイズを特定する情報を含むことを特徴とする請求項１３乃至１６のいずれか１項に記載の設定装置。
【請求項１８】
前記データ処理装置はプリンタであり、前記データ出力はプリントであり、前記データ処理についての設定は前記プリントするデータを特定する情報を含むことを特徴とする請求項１３乃至１７のいずれか１項に記載の設定装置。
【請求項１９】
設定装置であって、
近接無線通信によりデータ出力装置と接続し通信するための通信手段、
前記通信手段を介した前記データ処理装置との接続の状態を検知する検知手段、
前記通信手段を介して前記データ処理装置との第１の接続が確立されたことが前記検知手段により検知された場合、前記通信手段は、前記データ処理装置に関する情報を前記データ処理装置から受信し、
前記設定装置は、前記データ処理装置に関する情報の受信後、前記データ処理装置に関する情報に基づいて、前記データ処理装置に送信するデータの指定をユーザから受け付ける指定手段をさらに有し、
前記指定手段により前記データの指定が受け付けられた後であり、かつ前記検知手段により前記第１の接続の切断が検知された後に、前記通信手段を介して前記データ処理装置との第２の接続が確立されたことが前記検知手段により検知された場合、前記通信手段は、前記指定手段により指定を受け付けたデータを特定する情報を前記データ処理装置へ送信することを特徴とする設定装置。
【請求項２０】
前記データ処理装置に関する情報の受信後、前記指定手段によって前記データの指定を受け付けるための設定画面を表示するように表示手段を制御する表示制御手段をさらに有することを特徴とする請求項１９に記載の設定装置。
【請求項２１】
前記設定画面は、前記設定装置が有する記憶媒体に記憶されたデータの一覧を含むことを特徴とする請求項２０に記載の設定装置。
【請求項２２】
前記指定手段は、前記設定画面に含まれるデータの一覧から、前記データ処理装置に送信するデータの指定を受け付けることを特徴とする請求項２１に記載の設定装置。
【請求項２３】
前記データ処理装置に関する情報を前記データ処理装置から受信した後であり、かつ前記第１の接続の切断が前記検知手段により検知されていない場合、前記表示制御手段は、前記設定画面を表示しないように前記表示手段を制御することを特徴とする請求項２０乃至２２のいずれか１項に記載の設定装置。
【請求項２４】
前記データ処理装置に関する情報を前記データ処理装置から受信した後であり、かつ前記第１の接続の切断が前記検知手段により検知されていない場合、前記表示制御手段は、前記第１の接続を切断するよう促す画面を表示するように前記表示手段を制御することを特徴とする請求項２０乃至２３のいずれか１項に記載の設定装置。
【請求項２５】
前記表示手段が前記第１の接続を切断するよう促す画面を表示している際に前記第１の接続の切断が前記検知手段により検知された場合、前記表示制御手段は前記第１の接続を切断するよう促す画面に代えて前記設定画面を表示することを特徴とする請求項２４に記載の設定装置。
【請求項２６】
データ処理装置であって、
近接無線通信により設定装置と接続し通信するための通信手段と、
前記通信手段を介した前記設定装置との接続の状態を検知する検知手段とを有し、
前記通信手段を介して前記設定装置との第１の接続が確立されたことが前記検知手段により検知された場合、前記通信手段は、前記データ処理装置に関する情報を前記設定装置に送信し、
前記検知手段により前記第１の接続の切断が検知された後、前記通信手段を介して前記データ処理装置との第２の接続が確立されたことが前記検知手段により検知された場合、前記通信手段は前記設定装置から送信されるデータを特定する情報を前記設定装置から受信することを特徴とするデータ処理装置。
【請求項２７】
前記データを特定する情報によって特定されるデータを処理して出力する出力手段をさらに含むことを特徴とする請求項２６に記載のデータ処理装置。
【請求項２８】
近接無線通信によりデータ出力装置と接続し通信するための通信手段と、前記通信手段を介した前記データ出力装置との接続の状態を検知する検知手段とを有する設定装置の制御方法であって、
前記通信手段を介して前記データ出力装置との第１の接続が確立されたことが前記検知手段により検知された場合、前記通信手段が、前記データ出力装置に関する情報を前記データ出力装置から受信する工程と、
入力手段が、前記データ出力装置に関する情報の受信後、前記データ出力装置に関する情報に基づいて、前記データ出力装置によって行われるデータ出力処理についての設定の入力をユーザから受け付ける工程と、
前記入力工程により前記設定の入力が受け付けられた後であり、かつ前記検知手段により前記第１の接続の切断が検知された後に、前記通信手段を介して前記データ出力装置との第２の接続が確立されたことが前記検知手段により検知された場合、前記入力工程により入力を受け付けた前記設定を前記通信手段が前記データ出力装置へ送信する工程とを有することを特徴とする設定装置の制御方法。
【請求項２９】
近接無線通信により設定装置と通信するための通信手段と、前記通信手段を介して接続された設定装置から送信されたデータ出力処理についての設定に基づいてデータ出力処理を行うデータ出力処理手段と、前記通信手段を介した前記設定装置との接続の状態を検知する検知手段とを有するデータ出力装置の制御方法であって、
前記通信手段を介して前記設定装置との第１の接続が確立されたことが前記検知手段により検知された場合、前記通信手段が、前記データ出力装置に関する情報を前記設定装置へ送信する工程と、
前記通信手段が前記データ出力装置に関する情報を前記設定装置へ送信した後であり、かつ前記検知手段により前記第１の接続の切断が検知された後に、前記通信手段を介して前記設定装置との第２の接続が確立されたことが前記検知手段により検知された場合、前記通信手段が前記設定装置から前記データ出力処理についての設定を受信する工程とを有することを特徴とするデータ出力装置の制御方法。
【請求項３０】
近接無線通信によりデータ処理装置と接続し通信するための通信手段と、前記通信手段を介した前記データ処理装置との接続の状態を検知する検知手段とを有する設定装置の制御方法であって、
前記通信手段を介して前記データ処理装置と第１の接続を確立したことが前記検知手段により検知された場合、前記通信手段が、前記データ処理装置に関する情報を前記データ処理装置から受信するステップと、
表示制御手段が、前記検知手段により前記第１の接続の切断が検知された場合、前記データ処理装置に関する情報に基づいて、前記データ処理装置によって行われるデータ処理についての設定を入力するための設定画面を表示するよう表示手段を制御する工程と、
前記設定画面を介して前記データ処理についての設定が入力された後に、前記通信手段を介して前記データ処理装置と第２の接続が確立されたことが前記検知手段により検知された場合、前記通信手段が前記設定を前記データ出力装置へ送信する工程とを有することを特徴とする設定装置の制御方法。
【請求項３１】
近接無線通信によりデータ出力装置と接続し通信するための通信手段と、前記通信手段を介した前記データ処理装置との接続の状態を検知する検知手段をと有する設定装置の制御方法であって、
前記通信手段を介して前記データ処理装置との第１の接続が確立されたことが前記検知手段により検知された場合、前記通信手段が、前記データ処理装置に関する情報を前記データ処理装置から受信する工程と、
指定手段が、前記データ処理装置に関する情報の受信後、前記データ処理装置に関する情報に基づいて、前記データ処理装置に送信するデータの指定をユーザから受け付ける工程と、
前記指定手段により前記データの指定が受け付けられた後であり、かつ前記検知手段により前記第１の接続の切断が検知された後に、前記通信手段を介して前記データ処理装置との第２の接続が確立されたことが前記検知手段により検知された場合、前記通信手段が、前記指定手段により指定を受け付けたデータを特定する情報を前記データ処理装置へ送信する工程とを有することを特徴とする設定装置の制御方法。
【請求項３２】
近接無線通信により設定装置と接続し通信するための通信手段と、前記通信手段を介した前記設定装置との接続の状態を検知する検知手段とを有するデータ処理装置の制御方法であって、
前記通信手段を介して前記設定装置との第１の接続が確立されたことが前記検知手段により検知された場合、前記通信手段が、前記データ処理装置に関する情報を前記設定装置に送信する工程と、
前記検知手段により前記第１の接続の切断が検知された後、前記通信手段を介して前記データ処理装置との第２の接続が確立されたことが前記検知手段により検知された場合、前記通信手段が前記設定装置から送信されるデータを特定する情報を前記設定装置から受信する工程とを有することを特徴とするデータ処理装置の制御方法。
【請求項３３】
コンピュータを、請求項１乃至７又は請求項１３乃至２５のいずれか１項に記載の設定装置の各手段として機能させるためのプログラム。
【請求項３４】
コンピュータを、請求項８乃至１２のいずれか１項に記載のデータ出力装置の各手段として機能させるためのプログラム。
【請求項３５】
コンピュータを、請求項２６又は２７に記載のデータ処理装置の各手段として機能させるためのプログラム。
【手続補正２】
【補正対象書類名】明細書
【補正対象項目名】０００６
【補正方法】変更
【補正の内容】
【０００６】
上記課題を解決するために、本発明に係る設定装置は、近接無線通信によりデータ出力装置と接続し通信するための通信手段と、通信手段を介したデータ出力装置との接続の状態を検知する検知手段とを有し、通信手段を介してデータ出力装置との第１の接続が確立されたことが検知手段により検知された場合、通信手段は、データ出力装置に関する情報をデータ出力装置から受信し、設定装置は、データ出力装置に関する情報の受信後、データ出力装置に関する情報に基づいて、データ出力装置によって行われるデータ出力処理についての設定の入力をユーザから受け付ける入力手段をさらに有し、入力手段により設定の入力が受け付けられた後であり、かつ検知手段により第１の接続の切断が検知された後に、通信手段を介してデータ出力装置との第２の接続が確立されたことが検知手段により検知された場合、通信手段は入力手段により入力を受け付けた設定をデータ出力装置へ送信することを特徴とする。
【手続補正３】
【補正対象書類名】明細書
【補正対象項目名】０００７
【補正方法】変更
【補正の内容】
【０００７】
また、上記課題を解決するために、本発明に係るデータ出力装置は、近接無線通信により設定装置と通信するための通信手段と、通信手段を介して接続された設定装置から送信されたデータ出力処理についての設定に基づいてデータ出力処理を行うデータ出力処理手段と、通信手段を介した設定装置との接続の状態を検知する検知手段とを有し、通信手段を介して設定装置との第１の接続が確立されたことが検知手段により検知された場合、通信手段は、データ出力装置に関する情報を設定装置へ送信し、通信手段がデータ出力装置に関する情報を設定装置へ送信した後であり、かつ検知手段により第１の接続の切断が検知された後に、通信手段を介して設定装置との第２の接続が確立されたことが検知手段により検知された場合、通信手段は設定装置からデータ出力処理についての設定を受信することを特徴とする。
【手続補正４】
【補正対象書類名】明細書
【補正対象項目名】０００８
【補正方法】変更
【補正の内容】
【０００８】
また、上記課題を解決するために、本発明に係る設定装置は、近接無線通信によりデータ処理装置と接続し通信するための通信手段と、通信手段を介したデータ処理装置との接続の状態を検知する検知手段とを有し、通信手段を介してデータ処理装置と第１の接続を確立したことが検知手段により検知された場合、通信手段は、データ処理装置に関する情報をデータ処理装置から受信し、設定装置は、検知手段により第１の接続の切断が検知された場合、データ処理装置に関する情報に基づいて、データ処理装置によって行われるデータ処理についての設定を入力するための設定画面を表示するよう表示手段を制御する表示制御手段をさらに有し、設定画面を介してデータ処理についての設定が入力された後に、通信手段を介してデータ処理装置と第２の接続が確立されたことが検知手段により検知された場合、通信手段は設定をデータ出力装置へ送信することを特徴とする。
【手続補正５】
【補正対象書類名】明細書
【補正対象項目名】０００９
【補正方法】変更
【補正の内容】
【０００９】
また、上記課題を解決するために、本発明に係る設定装置は、近接無線通信によりデータ出力装置と接続し通信するための通信手段、通信手段を介したデータ処理装置との接続の状態を検知する検知手段、通信手段を介してデータ処理装置との第１の接続が確立されたことが検知手段により検知された場合、通信手段は、データ処理装置に関する情報をデータ処理装置から受信し、設定装置は、データ処理装置に関する情報の受信後、データ処理装置に関する情報に基づいて、データ処理装置に送信するデータの指定をユーザから受け付ける指定手段をさらに有し、指定手段によりデータの指定が受け付けられた後であり、かつ検知手段により第１の接続の切断が検知された後に、通信手段を介してデータ処理装置との第２の接続が確立されたことが検知手段により検知された場合、通信手段は、指定手段により指定を受け付けたデータを特定する情報をデータ処理装置へ送信することを特徴とする。
また、上記課題を解決するために、本発明に係るデータ処理装置は、近接無線通信により設定装置と接続し通信するための通信手段と、通信手段を介した設定装置との接続の状態を検知する検知手段とを有し、通信手段を介して設定装置との第１の接続が確立されたことが検知手段により検知された場合、通信手段は、データ処理装置に関する情報を設定装置に送信し、検知手段により第１の接続の切断が検知された後、通信手段を介してデータ処理装置との第２の接続が確立されたことが検知手段により検知された場合、通信手段は設定装置から送信されるデータを特定する情報を設定装置から受信することを特徴とする。
【手続補正６】
【補正対象書類名】明細書
【補正対象項目名】００１３
【補正方法】変更
【補正の内容】
【００１３】
タイミング発生回路１８は、メモリ制御回路２２及び中央制御回路５０の制御の下、撮像素子１４、Ａ／Ｄ変換器１６、Ｄ／Ａ変換器２６にクロック信号や制御信号を供給する。画像処理回路２０は、Ａ／Ｄ変換器１６から出力された画像データ或いはメモリ制御回路２２から出力された画像データに対して所定の画素補間処理や色変換処理などの画像処理を行う。また、画像処理回路２０においては、撮像した画像データを用いて所定の演算処理を行い、得られた演算結果を中央制御回路５０に出力する。具体的には、画像処理回路２０は、画像のコントラスト値や輝度値などの演算結果を中央制御回路５０に出力する。中央制御回路５０では、画像処理回路２０から出力された演算結果に基づいて露光制御部４０、測距制御部４２に対して制御を行い、ＴＴＬ（スルー・ザ・レンズ）方式のＡＦ（オートフォーカス）処理、ＡＥ（自動露出）処理、ＥＦ（フラッシュプリ発光）処理を行う。さらに、画像処理回路２０では、撮像した画像データの色情報を用いて所定の演算処理を行い、得られた演算結果に基づいてＴＴＬ方式のＡＷＢ（オートホワイトバランス）処理も行っている。
【手続補正７】
【補正対象書類名】明細書
【補正対象項目名】００６５
【補正方法】変更
【補正の内容】
【００６５】
次いで、デジタルカメラ１００は、Ｓ５０５においてＤＰＳ＿ＧｅｔＣａｐａｂｉｌｉｔｙ処理を行った後、Ｓ５０６において、印刷ボタンを押した指示状態に基づいて、印刷パラメータを前述した標準設定に設定する。次いで、Ｓ５０７〜Ｓ５１６において、デジタルカメラ１００とプリンタ２０１は、前述したＳ４１２〜Ｓ４２１の処理と同様の処理を行う。すなわち、予め定められた標準設定による印刷がプリンタ２０１で行われることとなり、画像選択や用紙設定などのユーザの設定作業を省くことが可能となる。
【手続補正８】
【補正対象書類名】明細書
【補正対象項目名】００７４
【補正方法】変更
【補正の内容】
【００７４】
具体的なプリントメニューの画面の一例を図８（ａ）、（ｂ）に示す。図８（ａ）に示すようなプリンタ２０１での出力画像を選択する画面Ｇ１が画像表示部２８に表示される。画面Ｇ１において、画像Ｐ１〜Ｐ６は外部記憶媒体９３などに記憶された画像データである。ボタンＢ１１は、太枠で示すカーソルＣ１１で指定した画像の選択指定またはその解除を指示するためのものである。ボタンＢ１２、Ｂ１３はカーソルＣ１１の移動を指示するためのものである。ボタンＢ１４はカーソルＣ１１で指定した画像の印刷パラメータの設定を指示ためのものである。ボタンＢ１５は全ての画像の印刷パラメータに同じ設定を指示するためのものである。ボタンＢ１６は設定の決定を指示するためのものである。中央制御回路５０は、画面Ｇ１の表示中において、操作部７０を介したユーザの操作によりボタンＢ１１〜Ｂ１６からの指示を受け付けることで、プリンタ２０１での出力画像を設定する。
【手続補正９】
【補正対象書類名】明細書
【補正対象項目名】００９９
【補正方法】変更
【補正の内容】
【００９９】
図１０に戻ってＳ７０７以降のステップを説明する。Ｓ７０７においてＰｉｃｔＢｒｉｄｇｅ印刷開始処理が終了すると、中央制御部２０７は、Ｓ７０８において、切断報知処理を行う。
【手続補正１０】
【補正対象書類名】明細書
【補正対象項目名】０１０６
【補正方法】変更
【補正の内容】
【０１０６】
ユーザは、Ｓ１０２１の報知によって、近接無線通信の再開要求があることを知ると、Ｓ１０２２において、デジタルカメラ１００をプリンタ２０１へ近づける。デジタルカメラ１００とプリンタ２０１は、互いの距離が通信可能距離３００以内に近づくとＳ１０２３で再び近接無線通信を確立する。
【手続補正１１】
【補正対象書類名】明細書
【補正対象項目名】０１２９
【補正方法】変更
【補正の内容】
【０１２９】
Ｓ１２０２において印刷エラーが検出された場合、中央制御部２０７は、Ｓ１２０３において、報知部２１８から報知音を鳴らすなどの接続要求報知処理を行う。このＳ１２０３の報知により、ユーザは、デジタルカメラ１００とプリンタ２０１との近接無線通信を再開する必要があることを知り、デジタルカメラ１００をプリンタ２０１へ近づけることとなる。従って、中央制御部２０７は、Ｓ１２０４において、通信部２１６から出力された信号に基づいて、近接無線通信によりデジタルカメラ１００と再び接続したか否かを判定し、再接続されるまで待機する。